(57)【要約】      （修正有） 【課題】歯型の採取時に被採取者に不快な気分が生じさせないようにし、歯型を正確に取り易く、その後のトリミングを容易とし、１種類でさまざまな歯型や歯茎型を持つ被採取者に対応でき、繰り返し衛生的に使用できる、歯科印象採取用トレーを提供する。【解決手段】トレー本体１と、このトレー本体に取り付ける柄部３とから成り、前記トレー本体を金網１ａで構成し、前記柄部を針金で構成すると共に、前記トレー本体の形状を口蓋に当る部分を削除した平面略馬蹄形状で、この平面略馬蹄形状の部分が断面略Ｕ字形状を呈するように構成し、その縁部を同じく金属製の縁取り部材で覆うと共に、前記トレー本体は口蓋側の内壁部２ａより口唇側及び頬側部の外壁部２ｂを高くした。【選択図】図１
0003135774.tif 000002
【実用新案登録請求の範囲】
【請求項１】
トレー本体と、このトレー本体に取り付ける柄部とから成り、前記トレー本体を金網で構成し、前記柄部を針金で構成すると共に、前記トレー本体の形状を口蓋に当る部分を削除した平面略馬蹄形状で、この平面略馬蹄形状の部分が断面略Ｕ字形状を呈するように構成し、その縁部を金属製の縁取り部材で覆うと共に、前記トレー本体は口蓋側の内壁部より口唇側及び頬側部の外壁部を高くしたことを特徴とする、歯科印象採取用トレー。
【請求項２】
前記柄部は、握持部と、この握持部の一端に連続して形成させた平面略馬蹄形状の取付部とで構成し、前記取付部を前記トレー本体の底部に固着したことを特徴とする、請求項１に記載の歯科印象採取用トレー。
【請求項３】
前記握持部はさらに、前記針金を平面略Ｕ字形状に折り曲げた外側握持部と、この外側握持部の中心部長手方向に設けた内側握持部とで構成し、前記取付部は前記外側握持部に続いて設けられた平面略馬蹄形状の外側取付部と、この外側取付部の各端部より折り曲げられて形成された一対の内側取付部とで構成し、この内側取付部の一方のものを前記内側握持部につなげ、前記内側取付部の他方のものを前記トレー本体に固着したことを特徴とする、請求項２に記載の歯科印象採取用トレー。
【考案の詳細な説明】
【技術分野】
【０００１】
この考案は、とくに人間の上顎用の歯型や歯茎型を採取する際に用いて好適な歯科印象採取用トレーに関する。
【背景技術】
【０００２】
従来、人間のマウスピースや義歯等を作るために、上顎用の歯型や歯茎型を採取するための歯科印象採取用トレーは、図６と図７に示したように、合成樹脂製で、トレー本体１０がその中央部の口蓋に対向する位置に隆起部１１を有しており、しかも、この隆起部１１の高さと、外壁１２の高さが同じであった。
【０００３】
そのため、歯科印象採取時に被採取者の口蓋の部分に隆起部１１や印象材が当り、さらに、印象材が、溢れて口内の奥のほうへ押し出されたりして、被採取者に吐き気等の不快な気分をもたらす上に、被採取者が、不快な気分から動いてしまうので、正確な印象を採取しにくいという問題があった。また、歯型の印象採取時に印象材が口蓋部分に広がる場合があるため、印象採取後の石膏での口蓋部のトリミングが困難となる場合があった。
【０００４】
さらに、隆起部の高さと外壁部の高さが同じであると、実際は上顎部は歯列の内側よりも外側のほうが高いため、印象採取時に印象材が外側よりもれてしまうという問題がある上に、被採取者の上顎の形状や歯茎型及び歯型の形状がさまざまであるところ、従来公知のものは合成樹脂製であり、変形ができないので、形状や大きさの異なる多種類のものを用意しないと正確な歯型を取ることが困難であるという問題もあった。さらに、この種の歯科印象採取用トレーは、その使用目的から言って、ある程度の剛性を必要とするが、従来公知のものはこの剛性に欠けるけるきらいがあった。
【考案の開示】
【考案が解決しようとする課題】
【０００５】
この考案は、上記従来技術の持つ問題点を解決するためのものであって、その目的とするところは、歯型の採取時に被採取者に不快な気分を生じさせないようにし、歯型を正確に取り易く、その後のトリミングを容易とし、１種類でさまざまな歯型や歯茎型を持つ被採取者に対応でき、繰り返し衛生的に使用できる、とくに上鍔用の歯科印象採取用トレーを提供することにある。
【課題を解決するための手段】
【０００６】
上記目的を達成するために請求項1に係る考案は、トレー本体と、このトレー本体に取り付ける柄部とから成り、前記トレー本体を金網で構成し、前記柄部を針金で構成すると共に、前記トレー本体の形状を口蓋に当る部分を削除した平面略馬蹄形状で、この平面略馬蹄形状の部分が略Ｕ字形状を呈するように構成し、その縁部を縁取り部材で覆うと共に、前記トレー本体は口蓋側の内壁部より口唇側及び頬側部の外壁部を高くしたことを特徴とする。
【０００７】
請求項２の考案は、前記柄部は、握持部と、この握持部の一端に連続して形成させた平面略馬蹄形状の取付部とで構成し、前記取付部を前記トレー本体の底部に固着したことを特徴とする。
【０００８】
請求項３の考案は、前記握持部はさらに、前記針金を平面略Ｕ字形状に折り曲げた外側握持部と、この外側握持部の中心部長手方向に設けた内側握持部とで構成し、前記取付部は前記外側握持部に続いて設けられた平面略馬蹄形状の外側取付部と、この外側取付部の各端部より折り曲げられて形成された一対の内側取付部とで構成し、この内側取付部の一方のものを前記内側握持部につなげ、前記内側取付部の他方のものを前記トレー本体に固着したことを特徴とする。
【考案の効果】
【０００９】
本考案は上述の如く歯型や歯茎型の印象採取時に、印象材や隆起部が被採取者の口蓋を押すことがなくなり被採取者の気分が悪くなることはなくなった。また、その結果として被採取者の気分が悪くなったときの動きがなくなったので、正確な印象採取が行えるようになった。さらに、印象採取用トレーにおいて外壁の高さを内壁の高さより高くすることによって、印象材が漏れることは少なくなり、より正確な印象採取が行えるようになった。そして、本考案に係る印象採取用トレーは金網製であるので、衛生的であり繰り返し使用でき、必要に応じて変形をすることにより、よりさまざまな患者の歯茎列にフィットする印象採取用トレーを提供できたものである。
【考案を実施するための最良の形態】
【００１０】
以下、添付図面に従って実施例を説明する。図１はこの考案に係る歯科印象採取用トレーの平面図であり、図２は同底面図、図３は同側面図，図４は同背面図、図５は同正面図である。
【００１１】
図面において、指示記号１のものはトレー本体であり、このトレー本体１は例えばステンレス製の金網１ａと縁取り部材１ｂで構成されている。金網のメッシュは、印象材が漏れ落ちてしまわない程度のものであれば足り、とくに限定は無い。そして、内部に印象材を入れて歯列に押し当てて型取をする際に、曲がってしまったり、へたったりしないで容易に変形しない剛性と強度を保有していれば良い。このトレー本体１は、とくに図１と図５に示したように、口蓋に当る部分を削除して歯茎列の形状に合わせた平面略馬蹄形状を呈し、とくに図５に示したようにこの平面略馬蹄形状の部分が略Ｕ字茎状を呈しており、その縁部は縁取り部材１ｂで縁取りされている。そして、とくに図４に示したように、トレー本体１は、その内側の内壁部２ａの高さＢより、使用時に口蓋側及び頬側に位置する外側の外壁部２ｂの高さＡのほうが高くなるように構成されている。尚、トレー本体１の大きさは、大、中、小の数種類があり、図示のものに限定されない。
【００１２】
次に、指示記号３のものが柄部であり、この柄部３は例えばステンレス製の針金（実施例のものは直径２．５ｍｍ〜３ｍｍ）を用いて構成されると共に、握持部４と取付部５とから成る。針金の太さは、図示のものはφ２である。針金の太さはこの程度のものが好ましいが、それは、トレー本体へ印象材を入れて歯列に押し当てて型取りする際に、曲がったり変形したりしない程度のものであれば足りる。握持部４は平面略Ｕ字形状を呈した外側握持部４ａと、この外側握持部４ａの中心部長手方向に設けた内側握持部４ｂとから成り、取付部５は握持部４の外側握持部４ａに続いて一体に設けられた平面略馬蹄形状を成す一対の外側取付部５ａ，５ａと、この各外側取付部５ａ，５ａの端部より内側に折り曲げて折り返した内側取付部５ｂ，５ｂから構成されている。
【００１３】
そして、取付部５は全体としてトレー本体１の外底部へ溶着などの手段で固着されると共に、内側取付部５ｂ，５ｂの一方は、内側握持部４ｂと一体になっており、他方はトレー本体１の後方端部の側へ折り曲げられ固着されている。尚、取付部５のトレー本体１に対する固着手段は溶着に限定されずビス止め、かしめ等の公知手段によることは可能である。そして、指示記号６のものは、握持部４の外側握持部４ａ、４ａと内側握持部４ｂの連結固定部材である。
【００１４】
したがって、この考案に係る歯科印象採取用トレーのトレー本体１に印象材(アルジネート（アルギン酸塩）の粉末を練って餅状にしたものや、モリブデンコンパウンドやシリコンゴム等)を入れ、片手で握持部４を持って被採取者の口中にトレー本体１を入れて上顎部の歯茎列に押し当てて４〜５分保持し、印象材の硬化を待って歯型や歯茎型を取ることになるが、トレー本体１は口蓋に当る部分を削除してあるので、従来公知のもののように、歯型の採取時に口蓋に隆起部や印象材が当ったり、印象材が口内の奥のほうへ押し出されて口内や喉の部分を刺激することがない。したがって、被採取者に気分を悪くさせる嘔吐感を催させることなく、正確に印象採取を行うことができるものである。そして、トレー本体１の外壁を内壁より高くしたので、印象材が外に漏れるのを可及的に防止できた上で、石膏による型取時のトリミングが行い易くなったものである。また、トレー本体１は金網製であり、手やペンチを用いて変形させることができるので、１つのトレー本体１で歯茎型や歯の形状や大きさの異なる被採取者に対応することが可能となったものである。
【００１５】
さらに、トレー本体１と柄部３は共に金属製としたので、適度な剛性を有し、印象採取時の４〜５分間の保持時間の間にも変形することなく、正確な歯型等を採取することが可能であると共に、トレー本体１は金網であるので、網目の中に印象材が入り込んで硬化することから、印象材を歯部より取り外す際に、トレー本体１と共に外すことができ、印象材だけが歯部の方に残ってしまうのを防止するものである。
【００１６】
さらに、トレー本体１と柄部３に剛性のある金属を用いたので、変形してしまったり、へたったりしてしまうことなく繰り返し使用することが可能であり、熱湯やアルコールに入れて殺菌することにより繰り返し使用しても安全かつ衛生的に使用できるものである。尚、トレー本体１、柄部３  及び縁部材は、好ましくはステンレス製であるが、このものに限定されず、その全部或は一部を銅製とし、その表面にクロム鍍金をしたものとすることができる。このように銅製とすると、加工し易いという利点がある。
【００１７】
そして、この考案に係る歯科印象採取用トレーは、下顎側の歯型や歯茎型を印象採取する際にも、そのまま用いることができ、歯科印象採取時に舌の当たる部分を削除してあるので、舌によって動かされることなく、正確に歯型や歯茎型の印象採取を行うことができるものである。
【産業上の利用可能性】
【００１８】
この発明に係る歯科印象採取用トレーは、マウスピースや義歯などを作る際の歯型や歯茎型の型取り用として使用することができる。
【図面の簡単な説明】
【００１９】
【図１】この考案に係る歯科印象採取用トレーの平面図である。
【図２】この考案に係る歯科印象採取用トレーの底面図である。
【図３】この考案に係る歯科印象採取用トレーの側面図である。
【図４】この考案に係る歯科印象採取用トレーの背面図である。
【図５】この考案に係る歯科印象採取用トレーの正面図。
【図６】従来の歯科印象採取用トレーの底面図である。
【図７】図６のＡ−Ａ断面図である。
【符号の説明】
【００２０】
１      トレー本体  
１ａ    金網
１ｂ    縁取り部材
２ａ    内壁部
２ｂ    外壁部    
３      柄部
４      握持部
４ａ    外側握持部
４ｂ    内側握持部
５      取付部
５ａ    外側取付部
５ｂ    内側取付部
【図１】
0003135774.tif 000003
【図２】
0003135774.tif 000004
【図３】
0003135774.tif 000005
【図４】
0003135774.tif 000006
【図５】
0003135774.tif 000007
【図６】
0003135774.tif 000008
【図７】
0003135774.tif 000009